(57)【要約】【課題】  正確度や迅速度の高い機器隔離設定機能を備えたプラント監視制御装置を得ることである。【解決手段】  アイソレタグ編集・発行装置１２は、プラント設備の点検や補修作業を行うに際して、その作業対象機器を選定して人手による持ち運び可能なアイソレタグを発行し、監視制御装置１３は、アイソレタグ編集・発行装置１２で発行されたアイソレタグの情報を読み込み機器隔離計画リストを作成する。これにより、機器隔離設定情報をネットワークを介して送信する必要をなくし、ネットワークのないプラント監視制御装置であっても、正確にタグ情報を受け渡しすることができる。【選択図】  図１
2005196443.tif 000002
【特許請求の範囲】
【請求項１】
プラント設備の点検や補修作業を行うに際してその作業対象機器を選定して人手による持ち運び可能な機器隔離情報タグであるアイソレタグを発行するアイソレタグ編集・発行装置と、前記アイソレタグの情報を読み込み機器隔離計画リストを作成する監視制御装置とを備えたことを特徴とするプラント監視制御装置。
【請求項２】
前記監視制御装置は、対話装置にて前記機器隔離計画リストが指定され、一括札掛け指定がされたときは、前記機器隔離計画リストの作業対象機器の周囲機器に前記アイソレタグを一括札掛け設定することを特徴とする請求項１記載のプラント監視制御装置。
【請求項３】
前記監視制御装置は、前記アイソレタグが札掛けされた前記作業対象機器の周囲機器に対して、前記対話装置にて一括自動操作が指定されたときは、その作業対象機器の周囲機器を隔離設定操作することを特徴とする請求項２記載のプラント監視制御装置。
【発明の詳細な説明】
【技術分野】
【０００１】
本発明は、プラント設備の点検や補修作業を行うに際して作業対象の機器をプラントから隔離させるアイソレーション操作（隔離操作）を行う機能を有したプラント監視制御装置に関する。
【背景技術】
【０００２】
一般に、プラント監視制御装置にはディジタル技術が適用され、プラント機器の操作は表示装置に表示された画面のタッチ操作により行うようにしたものが採用されている。一方、プラント設備の点検や補修作業を行うに際しては、作業対象の機器周辺の弁を閉めたり電源を切断したりして、作業対象の機器をプラントから隔離させるアイソレーション操作（機器隔離操作）がある。表示装置に表示された画面のタッチ操作によりプラント機器の操作を行うようにしたプラント監視制御装置では、そのアイソレーション操作も表示装置に表示された画面のタッチ操作により行われる。
【０００３】
すなわち、アイソレーション操作を実施するに際しては、作業対象の機器などが表示された表示画面のうち作業対象の機器周辺に配置された弁などに対して、タッチ操作により操作禁止札を取り付けたことを示す表示を行って、他の作業によって弁などが誤操作されるのを防止するようにしている。
【０００４】
例えば、運転員の操作によりアイソレーション操作の操作ガイドの表示要求があったとき、その操作ガイドの表示要求操作に応答して、次の操作に必要な情報を表示するようにし、誤操作を防止するとともに作業に伴う操作を迅速に行えるようにしたものがある（特許文献１参照）。
【０００５】
また、図１２に示すように、プラントの監視操作を行うＣＲＴプロセッサ４２に加え、タグ情報を作成するタグ情報入力端末４３を設け、ここで作成したタグ情報をネットワーク４４を介してＣＲＴプロセッサ４２に送り、ＣＲＴプロセッサ４２では送られてきたタグ情報をＣＲＴ４１に表示し、そのタグ情報をもとに保守対象の機器を選択して、その機器の操作器にタグ札を設定するようにしたものがある（例えば、特許文献２参照）。
【特許文献１】特開平１１−２４７２９号公報（図１）
【特許文献２】特開２０００−３３９０２０号公報（図１）
【発明の開示】
【発明が解決しようとする課題】
【０００６】
しかし、特許文献１のものではタグ情報（操作禁止札）の入力の際には監視操作ができない。また、特許文献２のものでは、アイソレーション設定情報をネットワークを介して送信する必要があり、通信インフラのないプラント監視制御装置では、人手によるアイソレーションデータ入力となる。この人手によるデータ入力の際には監視操作の妨げとならないように、アイソレーション設定の正確度や迅速度を向上させることが要請される。
【０００７】
本発明の目的は、上述した課題を解決するためになされたものであり、正確度や迅速度の高いアイソレーション設定機能を備えたプラント監視制御装置を得ることである。
【課題を解決するための手段】
【０００８】
請求項１の発明に係わるプラント監視制御装置は、プラント設備の点検や補修作業を行うに際してその作業対象機器を選定して人手による持ち運び可能なアイソレタグを発行するアイソレタグ編集・発行装置と、前記アイソレタグの情報を読み込み機器隔離計画リストを作成する監視制御装置とを備えたことを特徴とする。
【０００９】
請求項２の発明に係わるプラント監視制御装置は、請求項１の発明において、前記監視制御装置は、対話装置にて前記機器隔離計画リストが指定され、一括札掛け指定がされたときは、前記機器隔離計画リストの作業対象機器の周囲機器に前記アイソレタグを一括札掛け設定することを特徴とする。
【００１０】
請求項３の発明に係わるプラント監視制御装置は、請求項２の発明において、前記監視制御装置は、前記アイソレタグが札掛けされた前記作業対象機器の周囲機器に対して、前記対話装置にて一括自動操作が指定されたときは、その作業対象機器の周囲機器を隔離設定操作することを特徴とする。
【発明の効果】
【００１１】
本発明によれば、プラント設備の点検や補修作業を行うに際して人手による持ち運び可能なアイソレタグを発行するので、アイソレーション設定情報をネットワークを介して送信する必要がない。従って、ネットワークのないプラント監視制御装置であっても、正確にタグ情報を受け渡しすることができる。
【発明を実施するための最良の形態】
【００１２】
図１は本発明の第１の実施の形態に係わるプラント監視制御装置１１のブロック構成図である。プラント監視制御装置１１は、プラント設備の点検や補修作業を行うに際してその作業対象機器を選定して人手による持ち運び可能な機器隔離情報タグ（以下アイソレタグと呼ぶ）を発行するアイソレタグ編集・発行装置１２と、アイソレタグの情報を読み込み機器隔離計画リストを作成する監視制御装置１３とから構成される。監視制御装置１３には対話装置１４及び表示装置１５が接続されている。
【００１３】
プラント設備の更新、改造、改修、点検等の作業時には、作業対象機器、例えば、配管、ポンプ、バルブ等を含むバッチ処理区間を通常の運転操作範囲から除外し、運転系統から隔離（アイソレーション略してアイソレと称する）して作業を行う。
【００１４】
図２はアイソレするプラント設備の説明図である。図２において、例えば、作業対象機器として、弁VA001、弁VA003、ポンプPC001を選定した場合には、それら弁VA001、弁VA003、ポンプPC001の周囲機器である弁VA001、弁VB001がアイソレのタグ情報の付加される対象となる。
【００１５】
アイソレタグ編集・発行装置１２では、作業対象機器の除外操作のために予め除外に必要な作業対象機器を選定して、機器隔離計画リスト作成手段１６により図３に示すような機器隔離計画リストを作成し、この機器隔離計画リストをもとにタグ発行手段１７によりアイソレタグ１８を発行する。このアイソレタグ１８はフロッピー（登録商標）ディスクのような電子メディア、電子タグ、バーコードタグ等の実物タグ札等でありタグ情報が記憶される。アイソレタグ１８に記憶されたタグ情報は、監視制御装置１３のアイソレ読み込み手段１９を介して対話手段２０により読み込まれ、編集されて表示装置１５に機器隔離計画リストを表示する。
【００１６】
第１の実施の形態によれば、アイソレタグ１８はタグ札として又はタグリストとしてメディアに出力されるので、監視制御装置１３が受け入れ可能な媒体であれば、メディアの種類を間わず正確にタグ情報を受け渡しすることができる。
【００１７】
図４は、本発明の第２の実施の形態に係わるプラント監視制御装置のブロック構成図である。対話装置１４にて機器隔離計画リストが指定されると、監視制御装置１３の対話手段２０は、その指定された機器隔離計画リストを選択する。アイソレ設定選択対話手段２１は、運転員に対して、アイソレタグ札の一括設定指定、機器単体指定、機器グループ指定のいずれを行うかの選択を求める。一括設定指定はタグ札の一括札掛け、機器単体指定は機器（ポンプ、バルブ等）単体札掛け、機器グループ指定は機器グループ（複数機器が属するバッチ処理系統）単位札掛けを行う指定である。例えば、一括設定指定が選択されたときは、機器隔離計画リストの作業対象機器の周囲機器にアイソレタグを一括札掛け設定する。
【００１８】
すなわち、監視制御装置１３では、機器隔離計画リストを基にアイソレ設定選択対話手段２１によりタグ札の一括札掛け又は機器単体札掛け、機器グループ単位札掛けを行う。その設定結果は、図５に示すようにアイソレタグ札掛けリスト２３として記憶部２２に保存され、図６に示すようにアイソレタグ札掛け画面番号リスト２４として記憶部２２に登録される。また、アイソレタグ札掛け画面番号リスト２４を指定することにより、図７に示すように、表示装置１５にその画面が表示され、アイソレ札掛け該当機器のガイダンスが行われる。
【００１９】
第２の実施の形態によれば、アイソレ設定選択対話手段２１により一括札掛けを使用できるので、監視制御装置１３の対話装置１４を長時間占有することなく、アイソレタグ札掛け対象機器に対して隔離設定ができる。
【００２０】
図８は、本発明の第３の実施の形態に係わるプラント監視制御装置のブロック構成図である。この第３の実施の形態は、図４に示した第２の実施の形態に対し、監視制御装置１３のアイソレ操作選択対話手段２５を追加して設け、アイソレタグが札掛けされた作業対象機器の周囲機器に対して、一括自動操作指定または機器単体操作指定を行い、その作業対象機器の周囲機器を隔離設定操作するようにしたものである。図４と同一要素には同一符号を付し重複する説明は省略する。
【００２１】
監視制御装置１３のアイソレ操作選択対話手段２５は、アイソレ設定選択対話手段２１により作成され記憶部２２に記憶されたアイソレタグ札掛けリスト２３を基に、一括自動隔離操作指定または機器単体隔離操作指定により、一括自動隔離操作または機器単体隔離操作を行う。
【００２２】
その操作結果は、図９に示すアイソレ操作結果リスト２６として記憶部２２に保存され、図１０に示すアイソレ操作済み画面番号リスト２７として登録され記憶部２２に記憶される。また、アイソレ操作済み画面番号リスト２７を指定することにより、図１１に示すように、表示装置１５にその画面が表示され、隔離操作の該当機器のガイダンスが行われる。
【００２３】
第３の実施の形態によれば、アイソレ操作選択対話手段２５により一括操作を使用できるので、アイソレ操作対象機器、隔離操作の順序、隔離状態（開／閉等）を間違うことなく、アイソレ操作対象機器に対して隔離操作ができる。
【図面の簡単な説明】
【００２４】
【図１】本発明の第１の実施の形態に係わるプラント監視制御装置のブロック構成図。
【図２】本発明の第１の実施の形態におけるアイソレするプラント設備の説明図。
【図３】本発明の第１の実施の形態における機器隔離計画リストの説明図。
【図４】本発明の第２の実施の形態に係わるプラント監視制御装置のブロック構成図。
【図５】本発明の第２の実施の形態におけるアイソレタグ札掛けリストの説明図。
【図６】本発明の第２の実施の形態におけるアイソレタグ札掛け画面番号リストの説明図。
【図７】本発明の第２の実施の形態におけるアイソレタグ札掛け状態画面の一例の説明図。
【図８】本発明の第３の実施の形態に係わるプラント監視制御装置のブロック構成図。
【図９】本発明の第３の実施の形態におけるアイソレ操作結果リストの説明図。
【図１０】本発明の第３の実施の形態におけるアイソレ操作済み画面番号リストの説明図。
【図１１】本発明の第３の実施の形態におけるアイソレ操作結果表示画面の一例を示す説明図。
【図１２】従来例のブロック構成図。
【符号の説明】
【００２５】
１１…プラント監視制御装置、１２…アイソレタグ編集・発行装置、１３…監視制御装置、１４…対話装置、１５…表示装置、１６…機器隔離計画リスト作成手段、１７…タグ発行手段、１８…アイソレタグ、１９…アイソレ読み込み手段、２０…対話手段、２１…アイソレ設定選択対話手段、２２…記憶部、２３…アイソレタグ札掛けリスト、２４…アイソレタグ札掛け画面番号リスト、２５…アイソレ操作選択対話手段、２６…アイソレ操作結果リスト、２７…アイソレ操作済み画面番号リスト、４１…ＣＲＴ、４２…ＣＲＴプロセッサ、４３…タグ情報入力端末、４４…ネットワーク
【図１】
2005196443.tif 000003
【図２】
2005196443.tif 000004
【図３】
2005196443.tif 000005
【図４】
2005196443.tif 000006
【図５】
2005196443.tif 000007
【図６】
2005196443.tif 000008
【図７】
2005196443.tif 000009
【図８】
2005196443.tif 000010
【図９】
2005196443.tif 000011
【図１０】
2005196443.tif 000012
【図１１】
2005196443.tif 000013
【図１２】
2005196443.tif 000014